(57)【要約】  試験位置で試験しまたは監視するビークルまたはビークルコンポーネントに関する情報を送信するために、試験情報は例えばコンピュータメモリ19中で処理され、結果的な画像信号は伝送媒体26を介して遠隔端末22へ送信され、ここで再構成される。結果として、帯域幅の減少を必要とする画像信号だけが送信される。【選択図】図１
2007518969.tif 000002
【特許請求の範囲】
【請求項１】
監視位置で監視情報を受信し、監視データを処理して人間の観察可能な表示信号を形成し、その人間の観察可能な表示信号を遠隔位置へ送信するステップを含んでいる監視情報を監視位置から遠隔位置へ送信する方法。
【請求項２】
さらに、前記人間の観察可能な表示信号を遠隔位置で受信し、前記信号を人間の観察可能な表示として表示するステップを含んでいる請求項１記載の方法。
【請求項３】
さらに、制御命令を遠隔位置から監視位置へ送信するステップを含んでいる請求項２記載の方法。
【請求項４】
さらに、前記人間の観察可能な表示を遠隔位置で処理し、監視データを得るステップを含んでいる請求項２または３記載の方法。
【請求項５】
コンピュータにより人間の観察可能な表示信号を形成するように監視情報が処理される請求項１乃至４のいずれか１項記載の方法。
【請求項６】
遠隔位置で監視情報を表す人間の観察可能な表示信号を受信し、その監視信号の人間の観察可能な表示を表示するステップを含んでいる遠隔位置で監視位置から監視情報を受信する方法。
【請求項７】
監視情報は例えばビークルまたはビークルコンポーネントの監視データである請求項１乃至６のいずれか１項記載の方法。
【請求項８】
請求項１乃至７のいずれか１項記載の方法を実行するように構成された１組の命令を含んでいるコンピュータプログラム。
【請求項９】
請求項８記載のコンピュータプログラムの命令下で動作するように構成されたコンピュータ。
【請求項１０】
請求項８記載のコンピュータプログラムを記憶するコンピュータの読取り可能な媒体。
【発明の詳細な説明】
【技術分野】
【０００１】
本発明は監視情報、例えば試験セルのビークルまたはビークルコンポーネントについて行われた試験に関するデータの送信方法に関する。
【背景技術】
【０００２】
試験セルは例えばビークルエンジン、ビークルシャーシ、ビークルトランスミッションまたはその他のビークルコンポーネントに関する実時間ビークルまたはビークルコンポーネント試験に使用される。
【０００３】
例えばビークルエンジンの場合、試験開発エンジニアは試験をエンジンで行うように規定し、例えば試験されるパラメータと、エンジンが動作するデューティサイクルを規定する試験レジメを識別する。
【０００４】
試験中、エンジンはデューティサイクルにしたがって、特別に指定された試験室のような試験セル中で作動し、制御データおよびエンジン性能出力データが実時間で連続的に制御され、管理され、監視される。試験条件および出力は１以上のコンピュータにより制御される。例えば異なるコンピュータは異なる割当てられたタスクを有することができ、したがって、あるコンピュータは例えばスロットルおよびエンジンロードのようなエンジンに対する物理的入力を制御することができ、別のコンピュータは点火のタイミングと燃料のインジェクタのようなエンジンを制御するエンジン管理システムのパラメータを制御し、さらに別のコンピュータはエンジンからの性能出力、例えば適宜に、応力、歪み、温度、トルク、放射に関するデータの捕捉を行う。各コンピュータは固有のグラフィックユーザインターフェース（ＧＵＩ）を備えた１以上のアプリケーションを有し、種々の試験パラメータの監視および制御を可能にしている。
【発明の開示】
【発明が解決しようとする課題】
【０００５】
通常、コンピュータは健康および安全性の理由で試験セルに物理的に隣接しており、必要ならば試験における直接的な物理的介入を可能にする。試験の制御および監視は試験位置で１以上の試験技術者により行われる。しかしながら、場合によっては、遠隔位置の第三者が試験の観察能力をもつことが望まれる。例えば、現場の試験技術者が試験が正しく行われていないことを認識した場合に、遠隔の試験開発エンジニアに連絡して、試験を適切に変更できるか否かを評価することが必要になる可能性がある。
【０００６】
１つの既知の遠隔監視システムでは、試験セル中のビークルまたはビークルコンポーネントからの出力データは監視情報として遠隔位置のクライアント端末へ送信される。そのデータは遠隔のクライアントにおいて処理され、遠隔のクライアントコンピュータに表示される。既知のシステムの問題はこれが非常に多量のデータを実時間で送信することを必要とし、帯域幅の問題を生じうることである。さらに、受信されたデータを解釈し、ユーザの読取り可能な形態で表すための精巧なソフトウェアがクライアント端末で必要である。
【課題を解決するための手段】
【０００７】
本発明は、監視位置で監視情報を受信し、監視データを処理して人間の観察可能な表示信号を形成し、その人間の観察可能な表示信号を遠隔位置へ送信するステップを含んでいる監視情報を監視位置から遠隔位置へ送信する方法を提供する。
【発明を実施するための最良の形態】
【０００８】
本発明の実施形態を図面を参照して例示により説明する。  
概要を説明すると、例えばエンジンの試験または監視期間中に照合されたデータはローカルまたはホスト端末のようなコンピュータで記録され、処理され、グラフィックユーザインターフェース（ＧＵＩ）によりモニタまたはユーザスクリーン上に表示される。遠隔アクセスを可能にするため、制御プロセッサまたはエンジンセンサまたは出力から受信された生のデータを送信する代わりに、ユーザスクリーンの画像が遠隔のクライアントへ送信される。これは例えば画像の規定をローカルコンピュータから直接的に遠隔クライアントコンピュータモニタへ送信することにより行われることができ、それによってユーザスクリーンが現場および遠隔端末で反映される。特に例えばグラフィックスカードにより生成または受信された人間の観察可能な表示信号が送信される。結果として、ローカルの技術者に入手可能な全ての情報は遠隔位置でも入手可能であり、試験技術者と開発エンジニアとの実時間の協力が可能である。この方法を採用することにより、これを実現するのに必要な帯域幅は非常に少なくなり、遠隔地のクライアントに精巧な翻訳ソフトウェアをロードする必要がない。
【０００９】
しかしながら、最適化では、スクリーン上に表示されるデータをさらに解析することを可能にするために遠隔のクライアントに付加的なソフトウェアがロードされる。さらに、試験の制御は遠隔地のクライアント端末に対して従属する。
【００１０】
図１を参照すると、全体を10として示されている試験セルは制御入力14と性能データ出力16とを有するエンジン12を含んでいる。プロセッサ18とグラフィックスカード19とを含み、パーソナルコンピュータ（ＰＣ）または他のプロセッサのような任意の適切なコンピュータであるコンピュータ21は、制御入力14を送信し、それぞれの試験セルまたはエンジンセンサ（図示せず）からの性能データ出力16によって性能を監視することによりエンジンの試験を制御する。１つのコンピュータしか示されていないが、多数のプロセッサが制御情報の送信と性能データの受信の両者に使用されることができることが認識されるであろう。例えば、それぞれの個々のプロセッサは直接的なエンジンを制御し、またエンジン管理システム（図示せず）を制御するために使用されることができる。同様に、別々のプロセッサが異なるタイプの性能データを受信することもできる。結果として、試験セル10におけるエンジン12の実時間制御および監視が行われることができる。プロセッサ18はさらに画像信号をグラフィックスカード19へ出力する。受信された信号に基づいて、グラフィックスカードは画像信号をローカルモニタ20に対して発生し、関連する制御および性能データを現場の試験技術者に示す。
【００１１】
試験セル10の遠隔監視または制御を可能にするために、コンピュータシステムおよびプロセッサ18はまた人間の観察可能な表示信号を遠隔コンピュータ22へ送信する。その信号は電話線、ＬＡＮ、私設ネットワークまたはインターネット、或いは任意の他の適当な送信媒体のような任意の適当な媒体26によって送信されることができる。信号は例えばプロセッサ18からグラフィックスカード19により受信された画像信号、またはグラフィックスカード19からの画像信号であってもよい。
【００１２】
関連情報を示す任意の適切なコンピュータが適切にアクセスされることが可能であることが認められるであろう。例えば、コンピュータが示す基本エンジン制御データ、エンジン管理システムまたはエンジン制御装置の制御データまたは燃焼解析或いは放射のようなエンジン性能データはローカルディスプレイまたは遠隔クライアントコンピュータディスプレイ上に表示されることができる。さらに、試験に関する任意の他の情報が例えば事後処理情報で示されることができる。例えば図２ａはエンジン速度、トルク、パワー、圧力、燃料レート等のような制御および捕捉情報を示している。図２ｂでは、各シリンダに対して与えられるシリンダ圧力トレースおよびエンジンサイクルが、多数のエンジンサイクルを横切る各シリンダのシリンダノック振幅と共に与えられている燃焼解析を示している。勿論、任意の他の適切なスクリーンが表されることもできる。さらにコンピュータはクリック可能なスクリーンボタンのような制御アスペクトを含むことができ、種々のセンサのリセット、付加的な試験の実行を可能にし、さらに試験技術者が試験パラメータを変化することを可能にする。
【００１３】
したがって、コンピュータメモリ21から遠隔モニタ22へ直接的に画像信号を送信することによって、技術者に利用可能な全ての関連情報は試験開発エンジニアにも利用可能であることが分かるであろう。さらに、試験の制御は例えば試験技術者のスクリーン上のボタン制御下で、遠隔モニタに従属されることができ、それにより試験は遠隔でも同様に制御されることができる。
【００１４】
説明した方法および装置は任意の適切な形態で実行されることができることが認識されるであろう。ウィンドウズ（登録商標）ベースのＰＣ（オペレーティングシステムはウィンドウズ９８、ウィンドウズＮＴ、ウィンドウズ２０００）のような任意の適切なコンピュータシステムはローカルおよび遠隔の位置で使用されることができ、この位置でスクリーン画像はホストＰＣメモリから直接的に採取され、ネットワークを転送され、そのネットワークで遠隔コンピュータにより変換され、その後スクリーン画像として表示されるかグラフィック（ビデオ）カードから採取される。任意のウィンドウズベースの実時間試験ソフトウェアのような任意の適当な試験パッケージも同様に使用されることができる。本発明は性能試験およびビークル較正を含めた任意のタイプのビークル試験および監視へ拡張することができ、一般的にビークルまたは他の情報に関する用語“監視”が試験情報またはデータ、監視情報またはデータ、および動作またはプロセスに関する実時間情報、例えば進行または性能を表すコンピュータの生成するデータのようなデータを得るためのその他のものを含むことが認識されるであろう。
【００１５】
画像は任意の適切なネットワークにより送信されることができ、インターネットのような公共ネットワークが使用されるならば、ＨＴＴＰＳのような任意の適切なセキュリティプロトコルが付加されることができる。専用の付加的なソフトウェアが組込まれる必要がない遠隔のクライアントでは、例えば任意の適切なインターネットブラウザがユーザスクリーンの表示を遠隔で可能にするために使用されることができる。同様に、遠隔位置から試験を制御する能力は、任意の適当なソフトウェアおよびプロトコルを使用して従属されることができる。さらにスクリーンは例えばスクリーンショットの捕捉と、それらの適切なフレッシュレートでの送信によって任意の別の方法で送信されることができる。遠隔クライアントで受信されたデータはグラフィックスカードまたは任意の他の手段からであっても、純粋な画像データであるが、遠隔クライアントでインストールされた適切なソフトウェアにより逆にコンパイルされることができる。さらに試験技術者と試験開発エンジニアの両者は同一位置でも、または異なる位置にいてもよく、試験が純粋に遠隔的に制御され監視されることを可能にすることに注目すべきである。
【図面の簡単な説明】
【００１６】
【図１】試験データの遠隔監視用装置の主要部品を示すブロック図。
【図２ａ】試験パラメータを表す典型的なスクリーンを示す図。
【図２ｂ】試験パラメータを表す典型的なスクリーンを示す図。
【図１】
2007518969.tif 000003
【図２ａ】
2007518969.tif 000004
【図２ｂ】
2007518969.tif 000005
【国際調査報告】
2007518969.tif 000006
2007518969.tif 000007